【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
磁気回路と、この磁気回路に設けた磁気ギャップに一端部を可動自在に配置したボイスコイルと、このボイスコイルの他端部に結合されたダイアフラムと、このダイアフラムと前記磁気回路の表面とを連結するフレームとからなるスピーカで、前記磁気回路は、中央部に凸部を有する下部プレートと、前記凸部を囲むように前記下部プレートの表面に設けたマグネットと、前記マグネットの内周囲面と前記凸部の周囲面との間に設けた前記磁気ギャップと、前記マグネットの表面に設けた上部プレートとからなるものであって、前記ボイスコイルの第一および第二のリード線のそれぞれが、前記フレームに設けた第一および第二の導電部を介して前記スピーカの裏面もしくは周囲面に導出され、前記導電部はセットへの取り付け部としたスピーカ。
【請求項２】
磁気回路と、この磁気回路に設けた磁気ギャップに一端部を可動自在に配置したボイスコイルと、このボイスコイルの他端部に結合されたダイアフラムと、このダイアフラムと前記磁気回路の外周囲面とを連結するフレームとからなるスピーカで、前記磁気回路は、凹形状のヨークと、前記凹部の表面に設けたマグネットと、前記マグネットの周囲面と前記凹部の内周囲面との間に設けた前記磁気ギャップと、前記マグネットの表面に設けた上部プレートとからなるものであって、前記ボイスコイルの第一および第二のリード線のそれぞれが、前記フレームに設けた第一および第二の導電部を介して前記スピーカの裏面もしくは周囲面に導出され、前記導電部はセットへの取り付け部としたスピーカ。
【請求項３】
取り付け部がバネ端子である請求項１もしくは請求項２に記載のスピーカ。
【請求項４】
取り付け部にロック機構を設けた請求項１もしくは請求項２に記載のスピーカ。
【手続補正２】
【補正対象書類名】明細書
【補正対象項目名】全文
【補正方法】変更
【補正の内容】
【発明の詳細な説明】
【発明の名称】スピーカ
【技術分野】
【０００１】
本発明は、各種音響機器および情報通信機器等に用いられるスピーカに関するものであり、さらに言えば、その構造に関するものである。
【背景技術】
【０００２】
従来のスピーカの構造について図４、図５を用いて説明する。
【０００３】
図４に示すスピーカは一般に外磁型と呼ばれるものである。凸部を有する下部プレート２３の前記凸部を囲むようにして着磁されたマグネット２１を配し、前記マグネット２１を上部プレート２２と下部プレート２３で挟着して磁気回路２４を構成している。前記上部プレート２２にはフレーム２６を、前記フレーム２６にはターミナル３１をそれぞれ設け、前記フレーム２６の周縁部にはダイアフラム２７を設けている。前記ダイアフラム２７に設けられたボイスコイル２８は前記磁気回路２４の磁気ギャップ２５にはめ込まれており、前記ボイスコイル２８のリード線３２は前記ダイアフラム２７の裏面に沿って前記ターミナル３１まで引き回されてはんだ付けにより結線されている。
【０００４】
一方、図５に示すスピーカは一般に内磁型と呼ばれるものであり、図４と大きく異なる点は磁気回路２４のマグネット２１の配設位置にある。すなわち、上部プレート２２、マグネット２１、ヨーク３３で構成される磁気回路２４の前記マグネット２１がヨーク内部、つまりボイスコイル２８の内側に配設されている点である。また、他の異なる点としてはフレーム２６がヨーク３３に設けられている点である。
【０００５】
いずれの構造においても、前記リード線３２は前記ダイアフラム２７の裏面に沿って前記ターミナル３１まで引き回されている点は同じである。
【発明の開示】
【発明が解決しようとする課題】
【０００６】
このターミナル３１の機能はセット側からの電気信号を入力することのみであり、音響特性の向上には寄与しないものである。しかし、このターミナルの部品コスト、ターミナルの取り付けの生産コストおよびこの生産設備コストはスピーカのコスト全体の多くを占めており、コスト低減に対して問題を有していた。
【０００７】
そこで本発明は、コスト低減が可能なスピーカを提供することを目的とする。
【課題を解決するための手段】
【０００８】
この目的を達成するために本発明の請求項１に記載の発明は、特に、ボイスコイルの第一および第二のリード線のそれぞれが、フレームに設けた第一および第二の導電部を介してスピーカの裏面もしくは周囲面に導出され、前記導電部はセットへの取り付け部としたスピーカであり、以上の構成によりターミナルをなくすことができ、その結果、コストの低減を達成することができるものである。
【０００９】
すなわち、ボイスコイルのリード線を接続した部品をターミナルの代用とすることでターミナルをなくすことができ、その結果、ターミナル本体のコスト、ターミナルをフレームに結合するための生産コストおよびこの生産設備のコスト等のターミナルに起因するコストを削減することができるものである。
【００１０】
さらに、結線についてもセット側との給電構造を考えることではんだ付けをなくすことができ、その結果、セット側も含めた結線の簡略化も可能になるものである。
【００１１】
本発明の請求項２に記載の発明は、磁気回路と、この磁気回路に設けた磁気ギャップに一端部を可動自在に配置したボイスコイルと、このボイスコイルの他端部に結合されたダイアフラムと、このダイアフラムと前記磁気回路の外周囲面とを連結するフレームとからなるスピーカで、前記磁気回路は、凹形状のヨークと、前記凹部の表面に設けたマグネットと、前記マグネットの周囲面と前記凹部の内周囲面との間に設けた前記磁気ギャップと、前記マグネットの表面に設けた上部プレートとからなるものであって、前記ボイスコイルの第一および第二のリード線のそれぞれが、前記フレームに設けた第一および第二の導電部を介して前記スピーカの裏面もしくは周囲面に導出され、前記導電部はセットへの取り付け部としたスピーカであり、内磁型のスピーカにおいても上記の構成により請求項１と同様の作用効果を有するものである。
【発明の効果】
【００１２】
以上のように本発明は、特に、ボイスコイルの第一および第二のリード線のそれぞれが、フレームに設けた第一および第二の導電部を介してスピーカの裏面もしくは周囲面に導出され、前記導電部はセットへの取り付け部としたスピーカであり、以上の構成によりターミナルをなくすことができ、その結果、コストの低減を達成することができるものである。
【００１３】
すなわち、ボイスコイルのリード線を接続した部品をターミナルの代用とすることでターミナルをなくすことができ、その結果、ターミナル本体のコスト、ターミナルをフレームに結合するための生産コストおよびこの生産設備のコスト等のターミナルに起因するコストを削減することができるものである。
【００１４】
さらに、結線についてもセット側との給電構造を考えることではんだ付けをなくすことができ、その結果、セット側も含めた結線の簡略化も可能になるものである。
【発明を実施するための最良の形態】
【００１５】
以下、本発明のスピーカについて実施の形態および図面を用いて説明する。
【００１６】
（実施の形態１）
以下、実施の形態１および図１から図３を用いて、本発明に記載の発明について説明する。
【００１７】
図１から図３は、本実施の形態１におけるスピーカの断面図を示したものである。
【００１８】
図１によると、着磁されたマグネット１を上部プレート２およびヨーク３により挟み込んで構成された内磁型の磁気回路４のヨーク３に樹脂フレーム６を結合している。そして、この樹脂フレーム６は、取り付け部６ａを設けた部品、すなわち樹脂フレームに導電性の金属体をインサートして構成されるものであり、樹脂フレームを射出成型するときに上記金属体をインサートすることにより得ることができる。
【００１９】
そして、このフレーム６の周縁部にダイアフラム７を接着し、このダイアフラム７に結合されたボイスコイル８を上記磁気回路４の磁気ギャップ５にはめ込んで構成している。そして、このボイスコイル８の第一のリード線１１を第一の導電部１８に、第二のリード線１２を同じく第二の導電部１９にそれぞれ接続して構成している。この構成により、第一の導電部１８と第二の導電部１９をセット側との電気信号を受けるターミナルとして代用させることで、ターミナルをなくすことができ、その結果、スピーカの部品点数の削減を実現することができる。上記ボイスコイル８の接続方法としては、はんだ付け、接着、溶接、圧着、カシメ等さまざまな方法を用いることが可能である。
【００２０】
リード線１１，１２としては一般的に用いられている銅線だけでなく、錦糸線も用いることができる。この場合、高耐圧入力が可能になるという作用効果を有する。
【００２１】
以上、内磁型の磁気回路を有するスピーカについて説明したが、外磁型の磁気回路を有するスピーカについても、その磁気回路の形態以外は同様であり、説明を省略する。
【００２２】
以上のように本実施の形態１の構成によれば、ターミナルをなくすことができ、その結果、コストの低減を達成することができるものである。
【００２３】
さらに結線についてもセット側との給電方法によりはんだ付けをなくすことができ、その結果、結線の簡略化や削減が可能になる。
【００２４】
図２は本実施の形態の別のスピーカの断面図であり、特に、導出部にバネ端子を設けてセット側への取り付け部６ａにしたものである。これによりセット側との安定した接合、給電が可能となる。
【００２５】
バネ端子６ａの形状は取り付けるセット側に応じて任意に設定することができる。
【００２６】
さらにロック機構の一例として、このバネ端子６ａに返しを設けたものが図３である。この返しによりさらに安定した給電を行うことができる。さらに、ロック機構を設けることによりセット側との取り付け性および接続性を向上させることができる。
【００２７】
これら取り付け部６ａを設けた部品としては、例えば樹脂フレームに導電性の金属体をインサートして構成されるものであり、樹脂フレームを射出成型するときに上記金属体をインサートすることにより得ることができる。
【産業上の利用可能性】
【００２８】
本発明によるスピーカは、各種音響機器および情報通信機器等に利用できる。
【図面の簡単な説明】
【００２９】
【図１】本発明の一実施の形態のスピーカの断面図
【図２】同断面図
【図３】同断面図
【図４】従来のスピーカの断面図
【図５】同断面図
【符号の説明】
【００３０】
１  マグネット
２  上部プレート
３  ヨーク
４  磁気回路
５  磁気ギャップ
６  フレーム
６ａ  取り付け部
７  ダイアフラム
８  ボイスコイル
１１  第一のリード線
１２  第二のリード線
１８  第一の導電部
１９  第二の導電部
【手続補正３】
【補正対象書類名】図面
【補正対象項目名】全図
【補正方法】変更
【補正の内容】
【図１】
2006325272.tif 000001
【図２】
2006325272.tif 000002
【図３】
2006325272.tif 000003
【図４】
2006325272.tif 000004
【図５】
2006325272.tif 000005